(57)【要約】【課題】字幕データが含まれている放送を受信して字幕言語数を表示することにおいて、字幕言語数の表示が不適切に変化してしまうのを防止することができる放送受信装置を提供する。【解決手段】字幕管理部３３は、字幕管理データのみ受信できている状態のときには、字幕管理データに組み入れられている言語数情報に従って言語数を判定する。その一方、字幕文データのみ受信できている状態及び両方のデータを受信できている状態のときには、字幕文データに組み入れられている言語数情報に従って言語数を判定する。【選択図】図１
2007228192.tif 000002
【特許請求の範囲】
【請求項１】
ディジタル放送を受信してトランスポートストリームを出力するチューナと、前記トランスポートストリームからパケットを分離するデマルチプレクサと、前記パケットを受け取って各データを生成するデコーダと、を備え、字幕文データ及び字幕管理データを含む字幕データが多重されたディジタル放送波を受信して字幕を画面に表示するとともに前記字幕文データ及び字幕管理データに組み入れられた言語数情報に基づいて言語数を画面に表示するように構成された可搬型放送受信装置において、
字幕管理データのみ受信できている状態では当該字幕管理データに組み入れられている言語数情報に従って言語数を判定する一方、字幕文データのみ受信できている状態及び両方のデータを受信できている状態では字幕文データに組み入れられている言語数情報に従って言語数を判定する手段を備えたことを特徴とする可搬型放送受信装置。
【発明の詳細な説明】
【技術分野】
【０００１】
この発明は、字幕文データ及び字幕管理データを含む字幕データが多重されたディジタル放送波を受信して字幕及び言語数を画面に表示するように構成された放送受信装置に関する。
【背景技術】
【０００２】
近年、字幕データが重畳されたディジタル放送波を受信して字幕を画面に表示することができる放送受信装置が知られている（特許文献１参照）。図５において、その上段側は通常受信機用の放送における字幕データを示しており、その下段側は１セグメント地上ディジタル放送受信機用の放送（例えば、いわゆるワンセグ放送）における字幕データを示している。
【特許文献１】再表０３／０８１８７８号公報
【発明の開示】
【発明が解決しようとする課題】
【０００３】
例えば１セグメント地上ディジタル放送においては、字幕管理データ及び字幕文データはそのストリーム中に字幕が存在することを示す（ＡＲＩＢ  ＴＲ−Ｂ１４の６．２参照）。また、字幕管理データ及び字幕文データが受信された後、字幕文の表示が行われることが基本であるが、字幕管理データを受信せずとも、字幕文データを受信した時点で字幕の表示が可能である。また、字幕文データ及び字幕管理データの標準送出頻度が１０秒（±５秒）と規定されており、字幕文データ及び字幕管理データが送出されないと字幕が無くなったと判断することが可能である。また、字幕文データの送出が５秒に満たない場合は字幕管理データの送出をやめることも認められている。
【０００４】
ところで、１セグメント地上ディジタル放送では、受信機が電波障害等で情報の取りこぼしを生じがちとなることに鑑み、字幕言語数を示す情報（以下言語数情報ということがある）を字幕文データ及び字幕管理データの両方に組み入れることとしている。図４の上段側においては、受信機動作である言語数判定が正常時な状態で行われている様子を示している。
【０００５】
しかしながら、図４の下段側において示しているように、字幕言語数の切り替わり及び送信側の不手際などによって言語数情報に矛盾が生じるおそれがある。字幕文データと字幕管理データは時系列で異なるタイミングで受信できる情報であり、これら二つのデータは最小５秒周期で受信することが可能になっている。このため、字幕言語数に矛盾が生じている間、放送受信機側での言語数表示において、表示内容が頻繁に変化してしまうことが生じる。
【０００６】
この発明は、上記事情に鑑み、字幕データが含まれている放送を受信して字幕言語数を表示することにおいて、字幕言語数の表示が不適切に変化してしまうのを防止することができる放送受信装置を提供することを目的とする。
【課題を解決するための手段】
【０００７】
この発明の放送受信装置は、上記の課題を解決するために、ディジタル放送を受信してトランスポートストリームを出力するチューナと、前記トランスポートストリームからパケットを分離するデマルチプレクサと、前記パケットを受け取って各データを生成するデコーダと、を備え、字幕文データ及び字幕管理データを含む字幕データが多重されたディジタル放送波を受信して字幕を画面に表示するとともに前記字幕文データ及び字幕管理データに組み入れられた言語数情報に基づいて言語数を画面に表示するように構成された型放送受信装置において、字幕管理データのみ受信できている状態では当該字幕管理データに組み入れられている言語数情報に従って言語数を判定する一方、字幕文データのみ受信できている状態及び両方のデータを受信できている状態では字幕文データに組み入れられている言語数情報に従って言語数を判定する手段を備えたことを特徴とする。
【０００８】
上記の構成であれば、字幕文データのみ受信できている状態及び両方のデータを受信できている状態では字幕文データに組み入れられている言語数情報に従って言語数を判定する。これにより、字幕管理データに組み入れられている言語数情報と矛盾することが生じても、字幕文データに組み入れられている言語数情報を優先して言語数が判定されることになるので、字幕言語数の表示が不適切に変化してしまうのを防止することができる。そして、字幕管理データのみ受信できている状態では当該字幕管理データに組み入れられている言語数情報に従って言語数を判定するので、字幕文データが受信できていない段階において言語数を表示できないといったことを防止することができる。
【発明の効果】
【０００９】
この発明によれば、字幕データが含まれている放送を受信して字幕言語数を表示することにおいて、字幕言語数の表示が不適切に変化してしまうのを防止することができるという効果を奏する。
【発明を実施するための最良の形態】
【００１０】
以下、この発明の実施形態の放送受信装置を可搬型（車載用を含む）受信機を例にして図１乃至図３に基づいて説明する。
【００１１】
図１はこの発明の実施形態の放送受信装置１０を示したブロック図である。地上波用のアンテナ２１は、受信した信号を地上波ディジタルチューナ２２に与える。地上波ディジタルチューナ２２は、映像音声データを含む高周波ディジタル変調信号のうちから特定周波数の信号を取り出す。また、地上波ディジタルチューナ２２は、復調回路、逆インタリーブ回路、誤り訂正回路などを備え、選択したディジタル変調信号を復調してトランスポート・ストリームを出力し、このトランスポート・ストリームをデマルチプレクサ（ＤＥＭＵＸ）２３に与える。
【００１２】
デマルチプレクサ（ＤＥＭＵＸ）２３は、前記トランスポートストリームを、ＩＥＥＥにおけるＨ．２６４などのビデオストリーム、オーディオストリーム、字幕データ、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチプレクサ３は、ビデオストリームを映像デコーダ２４に供給し、オーディオストリームを音声デコーダ２６に供給し、字幕データを字幕デコーダ２５に供給し、ＰＳＩ／ＳＩ（番組情報）をＣＰＵ１に供給する。ＣＰＵ１は番組情報をメモリ３に格納する。
【００１３】
操作キー部２には、電源ＯＮ／ＯＦＦキー、チャンネル選択キー、音量調整キー等が設けられる。なお、可搬型放送受信装置がＴＶ機能付き携帯電話として構成される場合、主として電話に関するキーが配置され、テレビ視聴はメニュー画面上で選択する構成となったり、数字キーを電話番号入力やチャンネル選択に共用する構成となったり、十字キー（方向キー）を機能選択キーやチャンネルアップダウンキーとして共用する構成となったりする場合がある。
【００１４】
メモリ（ＲＡＭ、ＲＯＭ、フラッシュメモリなど）３には、各種の動作プログラム、番組情報、各種設定情報などが格納される。
【００１５】
映像デコーダ２４は、入力されたビデオストリームを復号して量子化係数や動きベクトルを求め、逆ＤＣＴ変換や動きベクトルに基づく動き補償制御などを行って映像データを生成する。この映像データは描画処理部２０に供給される。また、音声デコーダ２６は、オーディオストリームを復号して音声データを生成する。音声データはＤ／Ａ変換部２８によってアナログの音声信号に変換され、この音声信号はスピーカ２９に供給される。
【００１６】
字幕デコーダ２５は、字幕データ中の字幕文データに基づいて字幕文字を生成し、この字幕文字を字幕管理部３３に出力する。また、字幕デコーダ２５は、字幕データ中の字幕文データ及び字幕管理データのそれぞれに組み入れられている言語数情報に基づいて言語数を認識し、言語数を字幕管理部３３に出力する。字幕デコーダ２５は、字幕管理部３３から処理開始の指示を受け取るとデコード処理を開始し、字幕が無くなったことを示す信号を受け取ると、字幕文字出力を停止する。
【００１７】
字幕管理部３３は、字幕データの存在を判断し（タイムアウト監視）、字幕データが存在することきには字幕デコーダ２５に処理開始を指示する。すなわち、従来項でも述べたが、字幕管理データと字幕文データはそのストリーム中に字幕が存在することを示す。地上ディジタル放送では、字幕文データ及び字幕管理データの標準送出頻度が１０秒（±５秒）と規定されており、字幕文データ及び字幕管理データが所定時間以上送出されないと（検出されないと）、字幕が無くなったと判断することが可能である。字幕が無くなったことを示す信号は、字幕デコーダ２５に供給される。また、字幕管理部３３は、字幕デコーダ２５から受け取った字幕文字及び言語数を描画処理部２０に供給する。
【００１８】
描画処理部２０は、受信映像上に前記字幕文字（文字映像）及び言語数（数字映像）を重畳する処理を行う。そして、前記字幕文字や言語数が重畳された映像信号をディスプレイ（例えば、液晶パネル等）２７に供給する。
【００１９】
字幕管理部３３及び字幕デコーダ２５による言語数認定処理について更に説明する。字幕管理部３３は、字幕管理データのみ受信できている状態のときには、字幕管理データに組み入れられている言語数情報に従って言語数を判定する。その一方、字幕文データのみ受信できている状態及び両方のデータを受信できている状態のときには、字幕文データに組み入れられている言語数情報に従って言語数を判定する。
【００２０】
かかる処理の内容を図２のフローチャート及び図３の字幕データの時系列説明図に基づいて更に説明していく。まず、字幕管理部３３は字幕ＥＳ（エレメンタリ・ストリーム）を取得したかどうか（字幕データが存在するかどうか）を判断し（ステップＳ１）、字幕ＥＳが存在するときには、タイマーリセットを行う（ステップＳ２）。そして、字幕管理部３３は字幕ＥＳ中の情報が字幕文データかどうかを判断する（ステップＳ３）。字幕ＥＳが字幕文データであるときには、字幕文データ受信フラグをＯＮし（ステップＳ４）、そのときに字幕デコーダ２５から受け取った言語数にて言語数を判定する（ステップＳ５）。
【００２１】
ステップＳ３において、字幕ＥＳが字幕管理データであるときには、字幕文データ受信フラグがＯＮかどうかを判断する（ステップＳ６）。字幕文データ受信フラグがＯＮであるなら、前記ステップＳ５で判定した言語数を維持する（字幕管理部３３は字幕デコーダ２５が字幕管理データに基づいて出力した言語数を採用しない）。この状態（ステップＳ３を経てステップＳ６でＹＥＳと判断された状態）は、字幕文データと字幕管理データの両方が受信できている状態に相当し、この場合には字幕文データに組み入れられている言語数情報を優先して言語数を判定したことになる。この判定状態は、図３において、上段側及び下段側の受信機動作で「言語数＝１」とされる状態に対応する。
【００２２】
一方、ステップＳ６において字幕文データ受信フラグがＯＦＦであるなら、字幕管理部３３は字幕デコーダ２５が出力した言語数を採用して言語数判定を行う（ステップＳ７）。すなわち、字幕文データ受信フラグがＯＦＦである状態は、字幕管理データのみ受信できている状態に相当し、この場合には字幕管理データに組み入れられている言語数情報に従って言語数を判定したことになる。この判定状態は、図３の下段側の受信機動作で最初に「言語数＝２」とされる状態に対応する。
【００２３】
ステップＳ１において字幕ＥＳを取得できなかったときには、タイムアウトが生じたかどうかを判断し（ステップＳ８）、タイムアウトが生じたときには字幕及び言語数の表示処理を終了する（ステップＳ９）。このとき、字幕文データ受信フラグがＯＮであるなら当該フラグをＯＦＦにする処理も行う。
【図面の簡単な説明】
【００２４】
【図１】この発明の実施形態の可搬型放送受信装置を示したブロック図である。
【図２】この発明の実施形態の処理内容を示したフローチャートである。
【図３】この発明の実施形態の受信機動作（受信した字幕データにて示される言語数による言語数判定処理）を示した説明図である。
【図４】通常字幕データ放送内容及び１セグメント地上ディジタル放送受信機用の字幕データ放送内容を示した説明図である。
【図５】従来における正常時と異常時の受信機動作（受信した字幕データにて示される言語数による言語数判定処理）を示した説明図である。
【符号の説明】
【００２５】
１      ＣＰＵ
２      操作キー
３      メモリ
１０    可搬型の放送受信装置
２５    字幕デコーダ
３３    字幕管理部
【図１】
2007228192.tif 000003
【図２】
2007228192.tif 000004
【図３】
2007228192.tif 000005
【図４】
2007228192.tif 000006
【図５】
2007228192.tif 000007
【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
ディジタル放送を受信してトランスポートストリームを出力するチューナと、前記トランスポートストリームからパケットを分離するデマルチプレクサと、前記パケットを受け取って各データを生成するデコーダと、を備え、字幕文データ及び字幕管理データを含む字幕データが多重されたディジタル放送波を受信して字幕を画面に表示するとともに前記字幕文データ及び字幕管理データに組み入れられた言語数情報に基づいて言語数を画面に表示するように構成された放送受信装置において、
字幕管理データのみ受信できている状態では当該字幕管理データに組み入れられている言語数情報に従って言語数を判定する一方、字幕文データのみ受信できている状態及び両方のデータを受信できている状態では字幕文データに組み入れられている言語数情報に従って言語数を判定する手段を備えたことを特徴とする放送受信装置。